(57)【特許請求の範囲】
【請求項１】
蓋受枠に被着される鉄蓋の周縁下面に球面受溝を形成する一方、上端に球状頭部を備え、該球状頭部を前記球面受溝に回動可能に嵌合してなるレバー杆を、蓋受枠の内周縁に突成された支承部に起倒可能に枢結し、かつ、レバー杆に、回動死点を越えた自立位置に位置決めする回動規定手段を設け、該自立位置で鉄蓋を蓋受枠より浮揚させて支持することを特徴とする鉄蓋の連結装置。
【請求項２】
蓋受枠に被着される鉄蓋の周縁下面に球面受溝を形成する一方、上端に球状頭部を備え、該球状頭部を前記球面受溝に回動可能に嵌合してなるレバー杆を、蓋受枠の内周縁に突成された支承部に起倒可能に枢結し、かつ、レバー杆の回動死点を越えた上方回動位置で該レバー杆に当接して回動規定する回動規定縁を支承部に形成して、該回動規定縁によるレバー杆の回動規定によってレバー杆を自立させ、その自立位置で鉄蓋を蓋受枠より浮揚させて支持することを特徴とする鉄蓋の連結装置。
【発明の詳細な説明】
【０００１】
【発明の属する技術分野】
本発明は、マンホール，点検口等の開口部を遮蔽する鉄蓋の連結装置に関する。
【０００２】
【従来の技術】
マンホール，点検口等の開口部を遮蔽する鉄蓋は、開口部内周に配設された蓋受枠に被着されるが、いたずらや盗難等による鉄蓋の紛失を防止するために、該鉄蓋を蓋受枠に連結する連結装置を備えたものがある。従来の連結装置は、図１１イに示すように、鉄蓋ａの周縁下面に支軸ｂを介して略Ｓ字形のロックレバーｃを垂持する一方、蓋受枠ｄの内周縁に係止部ｅを突成し、該係止部ｅに形成された径方向の長孔ｆに前記ロックレバーｃを挿通させるとともに、その下端に固着した両側方に突出する抜け止め杆ｇによって長孔ｆからの抜け出しを不能とし、これによって鉄蓋ａを蓋受枠ｄに連結するようにしている。
【０００３】
また、該ロックレバーｃには、その自重による垂下状態で、係止部ｅの係止面ｈに下方から対向する突起ｋが突成されており、鉄蓋ａのロックレバーｃの直上位置周辺を持ち上げても、突起ｋが係止面ｈに当接して、正規の開放操作以外の操作による開放を防止するようにしている。
【０００４】
そして、鉄蓋ａの正規の開放手順により、図１１ロに示すように、鉄蓋ａが蓋受枠ｄから外された場合には、ロックレバーｃの抜け止め杆ｇが係止部ｅの下面に当接して蓋受枠ｄとの連結状態を維持するようになっている。
【０００５】
【発明が解決しようとする課題】
上記のような、従来の連結装置にあって、鉄蓋ａを開放するには、まず、鉄蓋ａの周縁で連結装置の反対側に形成されている操作口に専用バールを差込み、その先端を操作口の口縁下面に形成された凹部に係合して、鉄蓋ａの一端を持ち上げ、次にそのまま鉄蓋ａを外方に引っ張って、図１１ロに示すように、抜け止め杆ｇが係止部ｅの下面に当接するまでロックレバーｃを上方に引出す。これにより、鉄蓋ａが旋回可能な状態となる。そして、鉄蓋ａの一端を持ち上げた状態で、ロックレバーｃが戻らないように、鉄蓋ａを外方に引っ張りながら略１８０°旋回させることにより、鉄蓋ａの開放を行う。また、鉄蓋ａを閉じる場合にも、ロックレバーｃが戻らないように、鉄蓋ａを外方に引っ張りながら旋回させるのであるが、このように、従来の連結装置にあっては、鉄蓋ａの旋回操作時に、鉄蓋ａを外方に引っ張ってロックレバーｃを常に上方に引出した状態に維持しなければならず、さらに、鉄蓋ａの連結装置側の端部は、周囲の地面上を引き摺られることにより摺動抵抗を受けるため、特に長方形や大口径の鉄蓋ａの場合には、その開閉に多大の労力を要するという問題点がある。
【０００６】
また、従来の連結装置にあっては、図１１イに示すように、ロックレバーｃの下部が蓋受枠ｄの下方から突出しているため、施工前における製品の運搬や保管時に、床に置くとロックレバーｃによって鉄蓋ａが押し上げられて、蓋受枠ｄから外れた状態で傾斜してしまう。このため、製品の積み重ねが困難で取扱い性が悪いという問題点がある。
【０００７】
本発明は、かかる従来の問題点を解消し得る鉄蓋の連結装置を提供することを目的とするものである。
【０００８】
【課題を解決するための手段】
本発明は、蓋受枠に被着される鉄蓋の周縁下面に球面受溝を形成する一方、上端に球状頭部を備え、該球状頭部を前記球面受溝に回動可能に嵌合してなるレバー杆を、蓋受枠の内周縁に突成された支承部に起倒可能に枢結し、その起立位置で鉄蓋を蓋受枠より浮揚させて支持することを特徴とする鉄蓋の連結装置である。
【０００９】
かかる構成にあって、鉄蓋をレバー杆の起立回動方向に引っ張って、レバー杆を起立させることにより、鉄蓋が蓋受枠より浮揚した状態で支持される。これにより、鉄蓋の連結装置側の重量がレバー杆の球状頭部によって支えられることとなり、該球状頭部を中心にして鉄蓋を簡単に旋回させることができる。
【００１０】
また、レバー杆が起倒可能であり、横倒状態で蓋受枠内に収まるため、製品の積み重ねが可能となり、取扱い性に優れたものとなる。
【００１１】
また、前記構成にあって、レバー杆を、回動死点を越えた自立位置に位置決めする回動規定手段を設け、該自立位置で鉄蓋を蓋受枠より浮揚させて支持するようにしてもよい。このように、回動規定手段によってレバー杆を自立可能とすることにより、レバー杆を起立状態に保持する力が不要となり、鉄蓋を、球状頭部を中心として旋回させるだけでよいため、開閉作業時の労力を大幅に軽減し得るものとなる。この回動規定手段として、レバー杆の回動死点を越えた上方回動位置で該レバー杆に当接して回動規定する回動規定縁を支承部に形成して、該回動規定縁によるレバー杆の回動規定によってレバー杆を自立させる構成が好適な実施態様として提案され得る。
【００１２】
【発明の実施の形態】
本発明の一実施例を、図１〜図９について説明する。
図面において、１はマンホール，点検口等の開口部の内周に配設される蓋受枠であって、該蓋受枠１には鉄蓋２が被着される。鉄蓋２は平面視において長方形を呈する矩形状に形成されており、蓋受枠１も鉄蓋２の外周形状と略等しい矩形枠状となっている。この蓋受枠１の一辺を成す内周縁の略中間位置には、本発明に係る連結装置Ａを構成する支承部３が内方に向けて突成されている。該支承部３は、図３，図４に示すように、先端に軸受孔４を夫々備えた左右一対の軸受壁５，５と、該軸受壁５，５間に差し渡された水平状の連繋壁６とからなり、該連繋壁６の内方前端に後述のレバー杆７を回動規定する回動規定縁８が形成されている。
【００１３】
前記レバー杆７は、図５，図６に示すように、所定長さの主杆部７ａと、該主杆部７ａの上端に小径の頚部７ｂを介して連成された球状頭部７ｃとからなり、主杆部７ａの下部に挿通孔９が形成されている。そして、該挿通孔９に遊嵌した支軸１０の両端部を、前記軸受壁５，５の軸受孔４，４に嵌着することにより、レバー杆７を支承部３に対して起倒可能に枢結するようにしている。また、主杆部７ａの下端には係止突起１１が突成されており、該係止突起１１がレバー杆７の起立位置で前記支承部３の回動規定縁８に当接するようにしている。そして、この係止突起１１と回動規定縁８とによってレバー杆７の回動量を規定する回動規定手段が構成されている。また、レバー杆７は、図２に示すように、球状頭部７ｃが支軸１０の垂直延長線上にある回動死点を越える位置まで上方回動するように前記回動規定手段によって起立位置が設定されており、これによってレバー杆７の重心を内方に偏位させて、レバー杆７を自立させるようにしている。
【００１４】
一方、蓋受枠１に被着される鉄蓋２の周縁下面には、前記レバー杆７に対応する位置に球面受溝１２が形成されている。該球面受溝１２は、図７，図８に示すように、鉄蓋２を構成する天壁２ａと外周壁２ｂとのコーナー部分に、左右側壁２ｃ，２ｃと底壁２ｄを連成してなる袋状筺体部１３の内部に設けられており、さらに該袋状筺体部１３の内端側には嵌装口１４が開口され、かつ底壁２ｄにはレバー杆７の頚部７ｂが挿通する挿通路１５が前記嵌装口１４に連通させて開口されている。また、球面受溝１２の嵌装口１４寄り位置には、その上下位置に抜止め段縁１６ａ，１６ｂが夫々突成されている。
【００１５】
そして、嵌装口１４からレバー杆７の球状頭部７ｃを嵌入することにより、該球状頭部７ｃを球面受溝１２に回動可能に嵌合するようにしている。この嵌合状態にあって、球状頭部７ｃは、抜止め段縁１６ａ，１６ｂによって球面受溝１２からの離脱が規制され、該球面受溝１２内に保持される。また、このように球面受溝１２に球状頭部７ｃが嵌合されたレバー杆７は、その起立状態で鉄蓋２を蓋受枠１より浮揚させて支持することができ、かつ、鉄蓋２を蓋受枠１に被着したとき、球状頭部７ｃが球面受溝１２との嵌合状態を維持したまま横倒し得る長さに設定されている。これにより、鉄蓋２を蓋受枠１に連結する連結装置Ａが構成されている。また、図９に示すように、鉄蓋２の周縁で、連結装置Ａの反対側には操作口１７が開口されており、該操作口１７の口縁下面には専用バールｘの先端を係合し得る凹部１８が形成されている。
【００１６】
かかる構成にあって、蓋受枠１に被着されている鉄蓋２を開放する場合には、図９に示すように、先端にＬ形の鉤部を備えた専用バールｘを鉄蓋２の操作口１７に差込み、その先端の鉤部を操作口１７の凹部１８に係合して、鉄蓋２の一端を持ち上げ、そのまま連結装置Ａと反対側の外方に引っ張って鉄蓋２を蓋受枠１から離脱させる。ここで、このように鉄蓋２を外方に引っ張っると、該鉄蓋２の球面受溝１２に球状頭部７ｃが嵌合されているレバー杆７が、図１に示す横倒状態から次第に引き起されて上方に回動する。そして、該レバー杆７が回動死点を越える起立位置まで上方回動すると、図２に示すように、レバー杆７の係止突起１１が支承部３の回動規定縁８に当接し、この状態でレバー杆７の重心が内方に偏位することにより、該レバー杆７が自立する。そして、このように自立したレバー杆７により、鉄蓋２が蓋受枠１より浮揚する状態で支持されることとなり、鉄蓋２が旋回可能な状態となる。
【００１７】
そして、操作口１７の凹部１８に係合した専用バールｘにより、鉄蓋２の一端を持ち上げて、球状頭部７ｃを中心として鉄蓋２を略１８０°旋回させることにより、該鉄蓋２を開放することができる。しかしてこの時、鉄蓋２の他端側の重量がレバー杆７により支えられているため、鉄蓋２の旋回操作を簡単に行うことができる。さらに、レバー杆７が自立していることにより、該レバー杆７を起立状態に保持する力が不要であるため、その労力が大幅に軽減され得る。
【００１８】
また、開放した鉄蓋２を再び閉じる場合には、球状頭部７ｃを中心として鉄蓋２を逆方向に略１８０°旋回させた後、鉄蓋２を連結装置Ａ側に押圧することにより、その押圧操作に伴なってレバー杆７が横倒方向に回動して、蓋受枠１に鉄蓋２を被着することができる。この場合にあっても、開放時と同様に、鉄蓋２の他端側の重量がレバー杆７により支えられていることにより、鉄蓋２の旋回操作を簡単に行うことができ、レバー杆７が自立していることにより、該レバー杆７を起立状態に保持する力が不要である。
【００１９】
尚、上記実施例にあっては、レバー杆７の主杆部７ａの下端に突成した係止突起１１と、支承部３の連繋壁６の内方前端に形成した回動規定縁８とによって、レバー杆７の回動規定手段を構成するようにしているが、該回動規定手段は、レバー杆７の回動量を規定して、回動死点を越えた自立位置にレバー杆７を位置決めし得るものであればよい。図１０は、その一例を示し、これは支承部３の軸受壁５，５の内方前端に回動規定縁８’を差し渡して設け、該回動規定縁８’にレバー杆７の主杆部７ａを当接させるようにしたものである。このような構成によっても、レバー杆７を、回動死点を越えた自立位置に位置決めすることが可能である。
【００２０】
また、上記実施例では、矩形状に形成された鉄蓋について説明したが、円形の鉄蓋に対しても本発明に係る連結装置Ａを適用することができる。
【００２１】
【発明の効果】
本発明は、上述のように、蓋受枠に被着される鉄蓋の周縁下面に球面受溝を形成する一方、上端に球状頭部を備え、該球状頭部を前記球面受溝に回動可能に嵌合してなるレバー杆を、蓋受枠の内周縁に突成された支承部に起倒可能に枢結し、その起立位置で鉄蓋を蓋受枠より浮揚させて支持するようにしたから、鉄蓋をレバー杆の起立回動方向に引っ張って、レバー杆を起立させることにより、鉄蓋を蓋受枠より浮揚させた状態で支持することができる。これにより、鉄蓋の連結装置側の重量がレバー杆の球状頭部によって支えられることとなり、該球状頭部を中心にして鉄蓋を簡単に旋回させることができる。
【００２２】
また、レバー杆が起倒可能であり、横倒状態で蓋受枠内に収まるため、製品の保管時や運搬時における積み重ねが可能となり、取扱い性に優れたものとなる。
【００２３】
また、前記構成にあって、レバー杆を、回動死点を越えた自立位置に位置決めする回動規定手段を設け、該自立位置で鉄蓋を蓋受枠より浮揚させて支持するようにすれば、レバー杆を起立状態に保持する力が不要となり、鉄蓋を、球状頭部を中心として旋回させるだけでよいため、従来構成のものと比較して開閉作業時の労力を大幅に軽減し得る等の優れた効果がある。
【図面の簡単な説明】
【図１】本発明にかかる鉄蓋の連結装置を示し、鉄蓋が蓋受枠に被着された施工状態の側断面図である。
【図２】同上の連結装置の作用状態を示す側断面図である。
【図３】蓋受枠に形成された支承部の構成を示す側断面図である。
【図４】同上の支承部の構成を示す平面図である。
【図５】レバー杆の側面図である。
【図６】レバー杆の正面図である。
【図７】鉄蓋に形成された球面受溝の構成を示す側断面図である。
【図８】同上の球面受溝の構成を示す底面図である。
【図９】鉄蓋に形成された操作口部分の構成を示す側断面図である。
【図１０】レバー杆の回動規定手段の他の構成を示す側断面図である。
【図１１】イは従来構成の側断面図、ロはその作用状態の側断面図である。
【符号の説明】
Ａ  連結装置
１  蓋受枠
２  鉄蓋
３  支承部
７  レバー杆
７ｃ  球状頭部
８  回動規定縁（回動規定手段）
１１  係止突起（回動規定手段）
１２  球面受溝
【図１】
0003936817.tif 000002
【図２】
0003936817.tif 000003
【図３】
0003936817.tif 000004
【図４】
0003936817.tif 000005
【図５】
0003936817.tif 000006
【図６】
0003936817.tif 000007
【図７】
0003936817.tif 000008
【図８】
0003936817.tif 000009
【図９】
0003936817.tif 000010
【図１０】
0003936817.tif 000011
【図１１】
0003936817.tif 000012